(57)【要約】      （修正有）【課題】磁気が当たる箇所を把握しやすい回転磁気治療器を提供する。【解決手段】回転磁気治療器１００は、第１極性（Ｓ（又はＮ））を表面にし、第２極性を裏面にする第１磁石１１と、第２極性（Ｎ（又はＳ））を表面にし、第１極性を裏面にする第２磁石１２と、第１磁石１１および第２磁石１２を固定する円盤部材２０と、円盤部材２０を回転させる電気モータ３５と、円盤部材２０に接続されたファン２２と、電気モータ３５に電力を供給するバッテリ４５が収納された筐体部４０とを備えている。【選択図】図３
0003229833.tif 000002
【実用新案登録請求の範囲】
【請求項１】
回転磁気治療器であって、
第１極性を表面にし、第２極性を裏面にする第１磁石と、
第２極性を表面にし、第１極性を裏面にする第２磁石と、
前記第１磁石および第２磁石を固定する円盤部材と、
前記円盤部材を回転させる電気モータと、
前記円盤部材に接続されたファンと、
前記電気モータに電力を供給するバッテリが収納された筐体部と
を備えている、回転磁気治療器。
【請求項２】
前記第１磁石および前記第２磁石は、円板形状のネオジム磁石であり、
前記第１磁石の前記裏面および前記第２磁石の前記裏面は、前記円盤部材の表面に固定されており、
前記円盤部材の裏面側に、前記電気モータが設けられており、
前記第１磁石は、前記円盤部材の中央部に配置されており、
前記第２磁石は、前記円盤部材の前記中央部よりも外縁に配置されており、
前記第１磁石の直径は、前記第２磁石の直径よりも小さく、
前記第１磁石は１個設けられており、
前記第２磁石は複数個設けられている、請求項１に記載の回転磁気治療器。
【請求項３】
前記円盤部材の上において、前記複数個の前記第２磁石は、前記１個の前記第１磁石の外周に沿って等間隔で配置されており、
前記筐体部は、使用者の手で把持できる円筒形状を有しており、
前記第１磁石の前記裏面から前記表面の側へ向かう方向は、前記電気モータの駆動によって回転している前記ファンの風が進む方向である、請求項２に記載の回転磁気治療器。
【請求項４】
前記第２磁石は、前記１個の前記第１磁石の外周に沿って等間隔で４個配列されており、
前記バッテリは、リチウムイオンバッテリであり、
前記筐体部は、使用者の手で把持できる円筒形状を有しており、
前記筐体部には、前記電気モータの駆動のオン・オフのスイッチ部が設けられており、
前記筐体部には、前記リチウムイオンバッテリの充電用の端子が設けられている、請求項３に記載の回転磁気治療器。
【請求項５】
前記第１磁石および前記第２磁石は、円板形状を有しており、
前記第１磁石の前記裏面および前記第２磁石の前記裏面は、前記円盤部材の表面に固定されており、
前記円盤部材の裏面側に、前記電気モータが設けられており、
前記第１磁石および前記第２磁石は、前記円盤部材の中央部に近接して配置されており、
前記第１磁石の直径と前記第２磁石の直径とは同じであり、
前記第１磁石および前記第２磁石はそれぞれ１個である、請求項１に記載の回転磁気治療器。
【請求項６】
前記円盤部材の上において、前記第１磁石および前記第２磁石は互いに接触しており、
前記筐体部は、使用者の手で把持できる円筒形状を有しており、
前記第１磁石の前記裏面から前記表面の側へ向かう方向は、前記電気モータの駆動によって回転している前記ファンの風が進む方向である、請求項５に記載の回転磁気治療器。
【考案の詳細な説明】
【技術分野】
【０００１】
本考案は、回転磁気治療器に関する。特に、装置構造が簡単でコストも安く、磁気が当たる箇所を把握しやすい回転式の磁気治療器（回転磁気治療器）に関する。
【背景技術】
【０００２】
磁場は、人体、他の生物、水、化学剤などに影響を与えることが知られている。そして、磁場は、人体局部への磁場治療（磁気治療）に応用されている（例えば、特許文献１、特許文献２参照）。特許文献１には、磁力線の漏れを防止し、磁力線の上方への放出高度および磁力線の強度が最大となる構造とすることで、磁気治療効果を高めることができる磁気治療器が開示されている。また、特許文献２には、広い範囲で変動磁場を生じさせることができるコンパクトな回転磁気治療器が開示されている。
【０００３】
特許文献１に開示された磁気治療器を図１に示す。図１に示した磁気治療器１０００は、低速で回転する磁気治療器（低速回転磁気治療器）である。この磁気治療器１０００は、２つ以上の偶数個の強磁性体１０１と、導磁回転アーム１０２とから構成されている。各強磁性体１０１は、導磁回転アーム１０２の同一面上に対称に装着固定されている。対称の２つの強磁性体１０１の自由面の磁極は異なったものとなっている（ＳとＮ）。強磁性体１０１の自由面の面積は、接続面の面積よりも大きい。また、強磁性体１０１の横断面は、角部がない幾何学形である。導磁回転アーム１０２および強磁性体１０１は、電動装置１０４によって回転される。
【０００４】
図１の磁気治療器１０００では、強磁性体１０１の横断面が角部がない幾何学形であることにより、磁力線の漏れ及び強磁性体の使用量を低減させることができる。また、所定の方向への磁場強度が増強されるため、磁力線が他の電子製品に干渉するのが防止される。さらに、強磁性体１０１の自由面の面積が接続面の面積よりも大きいことにより、磁力線は、一方の強磁性体１０１の自由面から放出され、他方の強磁性体１０１の自由面から吸収される。そして、強磁性体内部の磁力線は、一方の強磁性体１０１から導磁回転アーム１０２を通過し、他方の強磁性体１０１に進入する。これにより、磁力線が集中し、磁場強度が最大となる。また、磁場の辺縁効果により、磁力線の上方への放出高度が高くなり、磁束密度が高くなるため、磁気治療効果を高めることができる。加えて、電動装置１０４により、導磁回転アーム１０２及び強磁性体１０１を低速回転させ、強磁場による磁気治療を行うことができる。
【０００５】
また、特許文献２に開示された磁気治療器を図２に示す。図２（ａ）は、特許文献２の磁気治療器１１００の上面図であり、そして、図２（ｂ）は、磁気治療器１１００の断面図である。図２に示した磁気治療器１１００は、人体の皮膚１９０に取り付けられて使用されるものである。磁気治療器１１００は、筐体１２０を備えている。筐体１２０には、スイッチ１１０およびＵＳＢ端子１３０が設けられている。また、筐体１２０の内部には、バッテリ１１０が収納されている。筐体１２０は底面を有しており、底面は、磁気治療器１１００が皮膚１９０に取り付けされたときに、皮膚１９０に直接または間接的に接触する部位である。また、筐体１２０には、治療用磁石部１３０が収納されており、治療用磁石部１３０は支持台１４０によって支持されている。支持台１４０は、回転駆動装置１５０によって、底面に対して略垂直に延びる回転軸１６０を中心に回転駆動される。
【０００６】
通常の貼付磁気治療器の場合、磁石が皮膚に対して特定位置に固定されて、磁場が固定されてしまうことで、いわゆる「なれが」生じて磁気治療効果が低減してしまう。また、回転磁気治療器具を使用者の皮膚に取り付けて使用するようなときは、使用者の皮膚に安定して回転磁気治療器を取り付けて動作させることが難しい。このような状況下で、図２の磁気治療器１１００では、コンパクトな構成で、広い範囲で変動磁場を生じさせることができる。さらに説明すると、回転磁気治療器具１１００を人体の皮膚１９０に取り付けたときに、支持台１４０が筐体１２０の底面に対して略平行な面内で回転することにより、皮膚１９０の広い範囲にわたって変動磁場を生じさせることができる。
【先行技術文献】
【特許文献】
【０００７】
【特許文献１】実用新案登録第３１７６３０４号公報
【特許文献２】特開２０２０−６８８８４号公報
【考案の概要】
【考案が解決しようとする課題】
【０００８】
図１に示した磁気治療器１０００は、比較的大型・中型なもの（例えば、椅子の形態）での使用を検討しているように思えるが（特許文献１の図６、図７参照）、小型のハンディータイプのもので気軽にどこでも使用したい場合もある。また、椅子用のような形態では、磁気（または磁力線）が向いている方向は比較的わかりやすいものがあるが、磁気は見えないものであるので、小型のハンディータイプの磁気治療器では、どの方向またはどの領域に磁気（磁力線、磁気の流れ）がでているかがすぐにはわからないことがある。言い換えると、使用者は、磁気を所定の部位（患部など）に当てたいのですが、そこに当たっているかどうか分かりにくいことが多い。本願考案者はそれがわかりやすいようなものにできないか鋭意検討していた。
【０００９】
また、図２に示した磁気治療器１１００は、皮膚の特定位置に固定できるものであるが、磁気を当てたい部位に対して磁気を当てたいものの、その箇所で皮膚に磁気治療器１１００を固定できるとは限らない。すなわち、図２に示した磁気治療器１１００は、皮膚に固定できる部位でしか使用することができない。
【００１０】
そのような状況下で、本願考案者は、比較的コンパクトなもので、装置構成も比較的簡単であり、磁気が当たる箇所を把握しやすい回転磁気治療器をなんとか作れないかと鋭意検討して、本考案に至った。本考案はかかる点に鑑みてなされたものであり、その主な目的は、磁気が当たる箇所を把握しやすい回転磁気治療器を提供することにある。
【課題を解決するための手段】
【００１１】
本考案に係る回転磁気治療器は、第１極性を表面にし、第２極性を裏面にする第１磁石と、第２極性を表面にし、第１極性を裏面にする第２磁石と、前記第１磁石および第２磁石を固定する円盤部材と、前記円盤部材を回転させる電気モータと、前記円盤部材に接続されたファンと、前記電気モータに電力を供給するバッテリが収納された筐体部とを備えている。
【００１２】
ある好適な実施形態において、前記第１磁石および前記第２磁石は、円板形状のネオジム磁石である。前記第１磁石の前記裏面および前記第２磁石の前記裏面は、前記円盤部材の表面に固定されている。前記円盤部材の裏面側に、前記電気モータが設けられている。前記第１磁石は、前記円盤部材の中央部に配置されている。前記第２磁石は、前記円盤部材の前記中央部よりも外縁に配置されている。前記第１磁石の直径は、前記第２磁石の直径よりも小さい。前記第１磁石は１個設けられている。前記第２磁石は複数個設けられている。
【００１３】
ある好適な実施形態において、前記円盤部材の上において、前記複数個の前記第２磁石は、前記１個の前記第１磁石の外周に沿って等間隔で配置されている。前記筐体部は、使用者の手で把持できる円筒形状を有している。前記第１磁石の前記裏面から前記表面の側へ向かう方向は、前記電気モータの駆動によって回転している前記ファンの風が進む方向である。
【００１４】
ある好適な実施形態において、前記第２磁石は、前記１個の前記第１磁石の外周に沿って等間隔で４個配列されている。前記バッテリは、リチウムイオンバッテリである。前記筐体部は、使用者の手で把持できる円筒形状を有している。前記筐体部には、前記電気モータの駆動のオン・オフのスイッチ部が設けられている。前記筐体部には、前記リチウムイオンバッテリの充電用の端子が設けられている。
【００１５】
ある好適な実施形態において、前記第１磁石および前記第２磁石は、円板形状を有している前記第１磁石の前記裏面および前記第２磁石の前記裏面は、前記円盤部材の表面に固定されている。前記円盤部材の裏面側に、前記電気モータが設けられている。前記第１磁石および前記第２磁石は、前記円盤部材の中央部に近接して配置されている。前記第１磁石の直径と前記第２磁石の直径とは同じである。前記第１磁石および前記第２磁石はそれぞれ１個である。
【００１６】
ある好適な実施形態では、前記円盤部材の上において、前記第１磁石および前記第２磁石は互いに接触している。前記筐体部は、使用者の手で把持できる円筒形状を有している。前記第１磁石の前記裏面から前記表面の側へ向かう方向は、前記電気モータの駆動によって回転している前記ファンの風が進む方向である。
【考案の効果】
【００１７】
本考案に係る回転磁気治療器によれば、第１磁石および第２磁石が固定された円盤部材を電気モータで回転させて、円盤部材に接続されたファンを回転させることができるので、第１磁石および第２磁石が回転することによって変動磁場を生じさせることができるとともに、ファンの回転で生じる風によって変動磁場が当たる箇所に風を吹き付けることができる。その結果、磁気が当たる箇所を把握しやすい回転磁気治療器を実現することができる。
【図面の簡単な説明】
【００１８】
【図１】従来の磁気治療器（低速回転磁気治療器）１０００の構成を示す斜視図である。
【図２】（ａ）及び（ｂ）は、それぞれ、従来の磁気治療器１１００の構成を示す上面図及び断面図である。
【図３】本考案の実施形態に係る回転磁気治療器１００の構成を示す正面図である。
【図４】本考案の実施形態に係る回転磁気治療器１００の構成を示す背面図である。
【図５】本考案の実施形態に係る回転磁気治療器１００の構成を示す側面図である。
【図６】本考案の実施形態に係る回転磁気治療器１００の構成を示す斜視図である。
【図７】従来の磁気治療器１０００の動作を説明するための模式図である。
【図８】回転磁気治療器１００の動作を説明するための模式図である。
【図９】回転磁気治療器１００の改変例の構成を示す正面図である。
【図１０】回転磁気治療器１００の改変例の構成を示す正面図である。
【図１１】第１磁石１１および第２磁石１２の配置の一例を示す図である。
【図１２】第１磁石１１および第２磁石１２の配置の一例を示す図である。
【図１３】第１磁石１１（１０）の配置の一例を示す図である。
【図１４】第１磁石１１（１０）の配置の一例を示す図である。
【図１５】第１磁石１１（１０）の配置の一例を示す図である。
【図１６】本考案の他の実施形態に係る磁気治療器（振動型磁気治療器）２００の構成を示す正面図である。
【図１７】磁気治療器２００の構成を示す側面図である。
【図１８】磁気治療器２００の動作を説明するための模式図である。
【図１９】本考案の他の実施形態に係る磁気治療器（振動型磁気治療器）２１０の構成を示す正面図である。
【図２０】磁気治療器２１０の構成を示す側面図である。
【考案を実施するための形態】
【００１９】
以下、図面を参照しながら、本考案の好適な実施形態を説明する。以下の図面においては、説明の簡潔化のために、同じ作用を奏する部材、部位には同じ符号を付し、重複する説明は省略または簡略化することがある。また、各図における寸法関係（長さ、幅、厚さ等）は、基本的にその寸法関係を満たすようにしたが、必ずしも実際の寸法関係を正確に反映していない場合がある。
【００２０】
また、本明細書において特に言及している事項以外の事柄であって本考案の実施に必要な事項は、当該分野における従来技術に基づく当業者の設計事項として把握され得る。本考案は、本明細書及び図面によって開示されている内容と当該分野における技術常識とに基づいて実施することができる。加えて、本考案は、以下の実施形態に限定されるものではない。
【００２１】
図３は、本考案の実施形態に係る回転磁気治療器１００の構成を示す正面図である。図４は、それぞれ、本実施形態の回転磁気治療器１００の構成を示す背面図である。図５および図６は、手で回転磁気治療器１００を持った状態の側面図および斜視図である。
【００２２】
図３に示すように、本実施形態の回転磁気治療器１００は、複数の磁石（永久磁石）１０（１１、１２）を備えており、複数の永久磁石１０（１１、１２）を回転させることにより、変動磁場を発生させる機構を備えている。そして、本実施形態の回転磁気治療器１００は、複数の磁石１０（１１、１２）と、磁石１０（１１、１２）を固定する円盤部材２０と、円盤部材２０を回転させる電気モータ３５と、円盤部材２０に接続されたファン２２と、電気モータ３５に電力を供給するバッテリ（４５）が収納された筐体部４０とから構成されている。
【００２３】
本実施形態の回転磁気治療器１００では、複数の磁石１０は、第１磁石１１および第２磁石１２であり、円盤部材２０の上に配置されている。第１磁石１１は、第１極性（ここでは、Ｓ極）を表面にし、第２極性（ここでは、Ｎ極）を裏面にする永久磁石である。第２磁石１２は、第２極性（ここでは、Ｎ極）を表面にし、第１極性（ここでは、Ｓ極）を裏面にする永久磁石である。図示したものとは逆に、第１極性をＮ極にして、第２極性をＳ極にしても構わない。
【００２４】
本実施形態の磁石１０（１１、１２）は、希土類永久磁石（例えば、ネオジム磁石、または、サマコバ磁石）を使用することができる。本実施形態の第１磁石１１、第２磁石は、例えば、２００ミリテスラ（磁束密度：ｍＴ）から５１０ミリテスラ（ｍＴ）のものを使用することができる。図示した例では、第１磁石１１、第２磁石は、ネオジム磁石である。また、本実施形態の磁石１０（１１、１２）として、発生させたい変動磁場の大きさにもよるが、希土類永久磁石以外の磁石（例えば、フェライト磁石）を使用することも可能である。なお、フェライト磁石よりも、希土類永久磁石（例えば、ネオジム磁石）の方が、磁束密度の上限を挙げることができる（例えば、５００ｍＴまたはそれ以上のネオジム磁石）。本実施形態の好適な一例では、第１磁石１１は、直径１０ｍｍで、厚さ５ｍｍで、４１６ｍＴの円盤状のネオジム磁石である。そして、第２磁石１２は、直径２０ｍｍで、厚さ５ｍｍで、２６１ｍＴの円盤状のネオジム磁石（または、直径１５ｍｍで、厚さ５ｍｍで、３１５ｍＴの円盤状のネオジム磁石）である。
【００２５】
第１磁石１１および第２磁石１２を固定する円盤部材２０は、樹脂から構成されている。なお、円盤部材２０を他の材料（例えば、木材、セラミックなど）から構築しても構わないが、樹脂から構成すると軽くて、割れにくい（または、安価で大量生産に向いている）等の特徴があり便利である。本実施形態の円盤部材２０は、例えば、直径２ｃｍから５ｃｍ（図示したものは３ｃｍ）であるが、それ以外の寸法のものであっても構わない。第１磁石１１の裏面および第２磁石１２の裏面は、円盤部材２０の表面に固定されている。本実施形態では、第１磁石１１および第２磁石１２は、接着剤で円盤部材２０に固定（接着）されている。なお、円盤部材２０への第１磁石１１および第２磁石１２の固定は、接着剤以外の方法（例えば、嵌合、ネジ留め、テープ貼り付け等）であっても構わない。
【００２６】
本実施形態の構成では、第１磁石１１は、円盤部材２０の中央部（回転中心点の周辺）に配置されている。そして、第２磁石１２は、円盤部材２０の中央部よりも外縁に配置されている。本実施形態の構成において、第１磁石１１は１個設けられており、そして、第２磁石１２は複数個設けられている。図示した例では、第２磁石１２は２個設けられている。また、第１磁石１１の直径は、第２磁石１２の直径よりも小さい。外周に位置する第２磁石１２の寸法（直径）よりも、中心に配置された第１磁石１１の寸法（直径）を小さくすることで、全体をコンパクトに配列させることができるという効果を得ることができる。
【００２７】
また、本実施形態の第１磁石１１の直径は、０．５ｃｍ〜２ｃｍ（図示したものは１ｃｍ）、第１磁石１１の直径は、０．５ｃｍ〜３ｃｍ（図示したものは１．５ｃｍ）であるが、それ以外の寸法のものであっても構わない。本実施形態の構成例では、第１磁石１１の直径よりも、第２磁石１２の直径を１．５倍（またはそれ以上）のものにしている。また、第１磁石１１の外縁（側面）に、第２磁石１２の外縁（側面）が密着するように配置されている。この密着は磁力（さらには、接着剤）によって行われている。なお、第１磁石１１と第２磁石１２との間に隙間ができるような配置の構成を採用しても構わない。本実施形態の構成例では、第２磁石１２の一部（外側の部位）が、円盤部材２０からはみ出るように配置されている。
【００２８】
図３から図５に示すように、円盤部材２０の裏面側に、電気モータ（電動モータ）３５が設けられている。電気モータ３５は、コイルに電気（直流電流、電力）が供給されることによって回転するものである。電気モータ３５の回転出力軸は、円盤部材２０に接続されており、それゆえに、電気モータ３５が回転することによって、第１磁石１１及び第２磁石１２が固定された円盤部材２０が回転する。円盤部材２０（又はファン２２）の回転数は、例えば、２０００回／分以上、または、７０００回／分以下で、好適な一例では、２２００〜６７１０回／分である。回転数は、例えば、非接触タコメータ（ユニティ(UNI-T)社製のミニ非接触タコメータUT373）を用いて計測することができる。
【００２９】
本実施形態の構成では、電気モータ３５に電力を供給するバッテリ４５は、筐体部４０内に収納されている。本実施形態のバッテリ４５は、充電可能な二次電池であり、具体的には、リチウムイオンバッテリ（充電式リチウムイオン電池）である。この例のリチウムイオンバッテリ４５は、３．７Ｖ、１２００ｍＡｈ、４．４４Ｗｈの特性を持つものである。なお、本実施形態のバッテリ４５は、二次電池でなく、一次電池（乾電池）であってもよい。
【００３０】
本実施形態の構成では、円盤部材２０にファン（羽根部）２２が接続されている。図示した構成例では、円盤部材２０の側面にファン２２が延びるように形成されている。この例では、ファン２２の羽根の枚数は、６枚であるが、羽根の枚数はこの数に限定されない。本実施形態の構成においては、円盤部材２０とファン２２とは一体成形された部品であり、同一種類の樹脂材料から構成されている。なお、円盤部材２０とファン２２とを別体で作製して、それを接続したものであっても構わないが、一体成形された部品の方が、製造コストおよび強度などの面で有利である。
【００３１】
さらに、本実施形態では、ファン２２を覆う上部カバー３０が設けられている。図示した例では、上部カバー３０には、ファン２２の回転から指などを保護する保護部材３２が形成されている。図示した例では、保護部材３２は、複数の短冊状の部材であり、等間隔で配列されている。なお、本実施形態の構成では、保護部材３２は外周部に配置されているが、円盤部材２０（または、中央部）まで覆うように延ばした構成にしてもよい。
【００３２】
図４に示すように、本実施形態の筐体部４０は、連結部３４（上下部材連結部）を通して、上部カバー３０の背面部３３に接続されている。本実施形態の構成では、筐体部４０を構成する筐体本体部４２は、筒型形状（ここでは、円筒形状）を有している。そして、筐体本体部４２から連結部３４が延びており、背面部３３に接続されている。また、本実施形態の構成では、背面部３３から保護部材３２が延びている。そして、背面部３３の前方側には、電気モータ３５が配置されている。言い換えると、背面部３３と円盤部材２０との間に電気モータ３５が位置している。
【００３３】
また、本実施形態の筐体部４０は、使用者の手で把持（又は保持）することができる形状（筐体本体部４２）を有している。筐体部４０（筐体本体部４２）には、電気モータ３５の駆動のオン・オフのスイッチ部４１が設けられている。本実施形態のスイッチ部４１は、電気モータ３５のオン・オフの他、回転の強度を多段階（例えば、弱・中・強）で変更することができる仕様となっている。具体的には、スイッチ部４１を押すことにより、電気モータ３５をオフからオン（弱）→中→強→オフに変えることができるようになっている。例えば、弱（低速）の回転数は、約２２００〜２４００回／分であり、中（中速）の回転数は、約２４００〜４６００回／分であり、強（高速）の回転数は、約３１００〜６８００回／分である。
【００３４】
また、筐体部４０（筐体本体部４２）には、バッテリ（リチウムイオンバッテリ）４５の充電用の端子４３が設けられている。図示した例では、充電用の端子４３はＵＳＢ端子であり、そのＵＳＢ端子４３に、充電用のケーブル（ＵＳＢケーブル）４６の端子を接続することができる。充電用のケーブル（ＵＳＢケーブル）４６を他の電源に接続すれば、本実施形態のバッテリ４５の充電を行ったり、その電源の電力で、本実施形態の回転磁気治療器１００（又は、電気モータ３５）を駆動することができる。
【００３５】
また、筐体部４０（筐体本体部４２）の内部には、バッテリ４５（内部電源）の充電、電気モータ３５の駆動の制御回路（回路基板）が配置されている。また、バッテリ４５（又は制御回路）からの配線は、連結部３４（上下部材連結部）の内部を通って電気モータ３５に電気的に接続されている。本実施形態の筐体部４０（筐体本体部４２）は、樹脂から構成されているが、それ以外の材料から構成しても構わない。なお、筐体部４０（筐体本体部４２）の一部には、脱着防止用のストラップ４８が設けられている。
【００３６】
図５および図６に示すように、磁石１０（１１、１２）が配置された円盤部材２０の前方方向（矢印９０）が、円盤部材２０が回転することで生じる変動磁場（磁石１０（１１、１２）の回転による変動磁場）が向かう方向であり、そして、ファン２２からの風が向かう方向である。すなわち、図示した例では、第１磁石１１の裏面（Ｎ極）から表面（Ｓ極）の側へ向かう方向が、矢印９９の方向（前方方向）となる。
【００３７】
図７および図８を参照しながら、図１に示した磁気治療器１０００および本実施形態の回転磁気治療器１００について説明する。図７は、図１に示した磁気治療器１０００の動作を説明する模式図であり、図８は、本実施形態の回転磁気治療器１００の動作を説明する模式図である。
【００３８】
図７に示すように、磁気治療器１０００の場合、導磁回転アーム１０２に支持された強磁性体１０１が回転（Ｓ）することにより、変動磁場が生じて、それが人体の皮膚１９０に当たって影響を及ぼす（具体的には、患部箇所を治療する）。本実施形態の回転磁気治療器１００の場合、磁石１０（１１、１２）が回転（Ｓ）することにより、変動磁場が生じて、それが人体の皮膚１９０に当たって影響を及ぼすとともに（矢印９０）、ファン２２が回転（Ｓ）してその風（Ｗ）が皮膚１９０に当たる。したがって、変動磁場の影響によって患部箇所（１９０）を治療することができるとともに、風（Ｗ）によって患部に変動磁場が当たっているかどうかがすぐにわかることができる。
【００３９】
このように、本実施形態の回転磁気治療器１００によれば、第１磁石１１および第２磁石１２が固定された円盤部材２０を電気モータ３５で回転させながら、円盤部材２０に接続されたファン２２を回転させることができる。したがって、第１磁石１１および第２磁石１２が回転することによって変動磁場を生じさせることができるとともに、ファン２２の回転で生じる風（Ｗ）によって変動磁場が当たる箇所（患部（又は磁気照射部）１９０）に風（Ｗ）を吹き付けることができる。その結果、磁気が当たる箇所（１９０）を把握しやすい回転磁気治療器１００を実現することができる。加えて、本実施形態の回転磁気治療器１００は、コンパクトであり、使用者（または施術者）が手で持って好きな箇所（１９０）に発生した磁気（変動磁気）を当てることが容易である。この点、皮膚に貼る（接触する）ことができるしか使用できない回転式磁気治療器具１１００（図２参照）とも顕著に異なる。
【００４０】
本実施形態の回転磁気治療器１００では、円盤部材２０（回転子）に磁石１０（１１、１２）を固定して回転させることで、磁石１０の前方に磁束が形成され、当該形成された磁束及び磁束変動に伴う変位電流が患部１９０の治癒に働く。本実施形態の回転磁気治療器１００の場合、皮膚に貼り付けるタイプのものと比較して、遠くまで磁束を送ることができ、また、磁束の変動が大きく、風と磁束が方向（矢印９０）と同じであるので、磁束を患部に合わせることが容易となる。ハンディータイプの扇風機（ミニ扇風機）の装置を利用できるので、製造コストを減らすことができるとともに、回転数の調節（弱、中、強）も簡単であり、そして、手の振動が静かという利点もあり、加えて、本実施形態の回転磁気治療器１００の扱いは簡単である。
【００４１】
そして、本実施形態の回転磁気治療器（変位電流発生器）１００を使用することで、患部（１６０）に変位電流を生じさせて、そこにエネルギーを供給することができる。本実施形態の回転磁気治療器（変位電流発生器）１００は、捻挫、肩凝りなどの治療に特に効果がある。また、疲労の後、疲労回復には、自然の疲労回復が期待されるが、変位電流はそれ自体が回復の力を持つものであるので、補助的な回復装置として効果があり、捻挫などで生じる痛みの回復に有効である。怪我などで変形した体形も、時間をかけて使用することで、回復の補助に役立てることができ、そして、手術後のリハビリにも補助的に使用できる。鍼灸と同じような効果を持たせることもできる。加えて、変動磁場は体内を通過するので、体内の患部も治癒可能である。変動場によって生じる変位電流（発生する電気）であるので、バクテリア、癌に対しても有効である可能性を秘めている。また、糖尿病(２型)の治療、白内障の治療の補助としても期待される。
【００４２】
本実施形態の回転磁気治療器（変位電流発生器）１００では、強力な磁石１０（ネオジム磁石）を使用することにより、簡便な構成な装置であっても、実用的なレベルまで変位電流を発生されることができる。そして、簡便な構成な装置であっても適切な回転数を発生させることができ、磁束の変動が十分得られて、実用的なレベルまで変位電流が得られる。かくして、当該形成された磁束及び磁束変動に伴う変位電流で患部１９０の治癒（または治癒のサポート）に働くものである。
【００４３】
本実施形態の回転磁気治療器（変位電流発生器）１００は、次のように改変することができる。図９および図１０は、本実施形態の回転磁気治療器１００の改変例を示している。
【００４４】
本実施形態の改変例では、第２磁石１２は、中心の第１磁石１１の外周に沿って等間隔で複数個配列している。図９に示した構成では、第２磁石１２は３個（１２ａ、１２ｂ、１２ｃ）配列されている。このように第２磁石１２を２個ではなく、３個（またはそれ以上）配列させてもよい。図９に示した例では、等間隔になるように（正三角形になるように）配置したが、少しずれた形で配置しても治療の効果に影響がないのであれば、それを採用しても構わない。なお、図９に示した構成では、（図３に示した構成例とは逆にして）第１磁石１１の表面をＳ極として、第２磁石１２の表面をＮ極とした例を示している。
【００４５】
また、図１０に示した構成では、第２磁石１２は４個（１２ａ、１２ｂ、１２ｃ、１２ｄ）配列されている。図１０に示した構成例の方が、第２磁石１２を十字に整列させるため、第２磁石１２の配列を行うことが容易であるという利点がある。
【００４６】
他にも次のような改変例を構築することができる。なお、Ｎ極とＳ極は交換可能であり、一方の極の場合を示している。
（１）磁石１０を３個１列にならべて、Ｎ極、Ｓ極、Ｎ極となるように配列する（図３に示したものの類似例。一列に配列させた構成例）。
（２）磁石１０を４個並べる。中央に１個（Ｓ極）、周りに３個（Ｎ極）となるように配列（図９に示したものに類似）。
（３）磁石１０を５個並べる。中央に１個（Ｓ極）、周りに４個（Ｎ極）となるように配列（図１０に示したものに類似）。
【００４７】
また、本実施形態の回転磁気治療器（変位電流発生器）１００が人体の患部（１９０）に近い場合に使用するときは、図１１に示すような改変をしてもよい。
【００４８】
図１１は、本実施形態の改変例の回転磁気治療器１００における磁石１０（１１、１２）の配置例を示している。人体の患部（１９０）に近い場合に使用するときは、広い範囲の使用でなく、ピンポイントでの照射（変動磁場を当てること）のことが多いことから、図１１に示すように、円盤部材２０の中央部に第１磁石１１および第２磁石１２を隣接して配置することができる。図１１では、同じサイズ（同じ種類）の磁石（ネオジム磁石）１０を使用している。なお、図３、図９、図１０に示した構成例でも、同じサイズ（同じ種類）の磁石（ネオジム磁石）１０を使用しても構わない。
【００４９】
図１１に示した構成例よりも、広い範囲での磁場を当てたいときは、図１２に示す構成例のように、第１磁石１１および第２磁石１２を離して配置してもよい。図１１に示した例では、円盤部材２０の中心軸（Ｃ）から対称となる位置に第１磁石１１および第２磁石１２を配列している。
【００５０】
さらに、図１３から図１５に示すように、一つの磁石１１（１０）を用いた回転磁気治療器１００にしてもよい。図１３は、円盤部材２０の中心軸（Ｃ）に磁石１１（１０）の中心が位置するように配置した例である。図１４は、円盤部材２０の中心軸（Ｃ）に、磁石１１（１０）の一部（または、外縁）が位置するように配置した例である（言い換えると、円盤部材２０の中心軸（Ｃ）と、磁石１０の中心がズレた例である）。図１５は、円盤部材２０の中心軸（Ｃ）の領域に、磁石１１（１０）が位置しないように配置した例である。
【００５１】
本実施形態の回転磁気治療器（変位電流発生器）１００の構成においては回転数が変動磁場の強さに影響を与える。本願考案者が回転数を測定したところ、次のような結果になった。図１３に示した構成例で、第１磁石１１が直径１５ｍｍのとき、弱（低速）の回転数は、２４０１回／分であり、中（中速）の回転数は、３００２回／分であり、強（高速）の回転数は、３３０３回／分である。図３に示した構成例で、第１磁石１１が直径１０ｍｍで第２磁石１２が直径１５ｍｍのとき、弱（低速）の回転数は、２４２１回／分であり、中（中速）の回転数は、２６７６回／分であり、強（高速）の回転数は、３１８０回／分である。図９に示した構成例で、第１磁石１１が直径１０ｍｍで第２磁石１２が直径１５ｍｍのとき、弱（低速）の回転数は、２２１８回／分であり、中（中速）の回転数は、２４５６回／分であり、強（高速）の回転数は、２７１０回／分である。図１０に示した構成例で、第１磁石１１が直径１０ｍｍで第２磁石１２が直径１５ｍｍのとき、弱（低速）の回転数は、２２３６回／分であり、中（中速）の回転数は、４６１１回／分であり、強（高速）の回転数は、６７１０回／分である。図１０に示した構成例が、磁石１０（１１、１２）のレイアウトが回転に上手く寄与し、一番良い回転数を示した。そして、その高い回転数によって変動磁場の強さを大きくすることができる。言い換えると、同じモータであっても、磁石のレイアウトによって回転数は変化し、それに伴って発生する変動磁場も変化するものである。
【００５２】
図１６は、本考案に係る他の実施形態の磁気治療器（変位電流発生器）２００の構成を示す正面図である。図１７は、磁気治療器２００の構成を示す側面図である。本実施形態の磁気治療器２００は、図３に示した構成の回転式ではなく、振動型の変動磁場発生装置である。
【００５３】
本実施形態の磁気治療器２００は、振動型の電動歯ブラシの構造を利用したものである。磁気治療器２００は、両端に磁石１５（１５ａ、１５ｂ）が固定された水平連結部（左右連結部）５０と、水平連結部（左右連結部）５０を固定する上下連結部５５と、上下連結部５５を支持する筐体部４０とから構成されている。
【００５４】
上下連結部５５の先端部分に、水平連結部５０の中央部が接続されている。上下連結部５５と水平連結部５０との接続は、接着剤で行うことができるが、他の手段（例えば、嵌合、ビス留め、融着、テープ固定など）で行ってもよい。また、上下連結部５５と水平連結部５０とを一体成形した部材を用いることも可能である。水平連結部５０の両端には、内側がＳ極で外側がＮ極の第１磁石１５ａと、内側がＮ極で外側がＳ極の第２磁石１５ｂが設けられている。なお、Ｓ極とＮ極とを逆にしても構わない。水平連結部５０の両端への磁石１０（１５ａ、１５ｂ）の接続は、接着剤で行うことができるが、他の手段（例えば、嵌合、テープ固定など）で行ってもよい。
【００５５】
筐体部４０の内部には、振動発生装置（振動を発生させる電気モータ、または、圧電型振動子）およびバッテリ（乾電池（一次電池）、または、二次電池）内蔵されている。なお、筐体部４０の内部にバッテリが内蔵されておらず、コンセントで電気（電力）を供給する方式のものでもよい。振動発生装置は、例えば、２００〜３００Ｈｚの振動数（音波振動）を発生させることができる。この振動によって、水平連結部５０および水平連結部５０が振動し、水平連結部５０に固定された磁石１０（１５ａ、１５ｂ）が振動して、変動磁場が発生する。
【００５６】
筐体部４０を構成する筐体本体部４２は、筒状形状（略円筒形状）をしており、手で把持（保持）することができる。筐体本体部４２には、振動をオン・オフすることができるスイッチ部４１が設けられている。スイッチ部４１の動作（押す動作）によって、強・（中）・弱のような振動数が変化するように構成することも可能である。
【００５７】
図１８は、本実施形態の振動式磁気治療器２００の動作を説明する模式図である。水平連結部５０’が振動することにより、第１磁石１５ａと第２磁石１５ｂとが振動して、それにより、変位磁場が生じる。その変位磁場を患部１９０’に当てることにより、その患部１９０’において変位電流が生じて、当該変位電流による治療（または治療の補助）が実行される。この構成例（Ｔ字型の振動磁気治療器２００）の振動数は、例えば、３６０ＲＰＭ（一分間あたりの振動数）である。
【００５８】
図１９は、本考案に係る他の実施形態の磁気治療器（変位電流発生器）２１０の構成を示す正面図であり、図２０は、磁気治療器２１０の構成を示す側面図である。本実施形態の磁気治療器２１０も、図１６に示したものと同様に振動型の変動磁場発生装置であり、図１６に示したものと比べて磁石１５（１０）が一つである点が異なる。磁気治療器（変位電流発生器）２１０でも、磁石１５（１０）が振動して、それにより、変位磁場が生じる。その変位磁場を患部１９０’に当てることにより、その患部１９０’において変位電流が生じて、当該変位電流による治療（または治療の補助）が実行される。この構成例（振動磁気治療器２１０）の振動数は、例えば、１３６５ＲＰＭ（一分間あたりの振動数）である。
【００５９】
以上、本考案を好適な実施形態により説明してきたが、こうした記述は限定事項ではなく、勿論、種々の改変が可能である。例えば、本実施形態の構成では、磁石１０（１１、１２）を支持する円盤部材２０を、円形のもので説明したが、磁石１０（１１、１２）を回転できるのであれば、必ずしも幾何学的な意味での円形でなく、円盤部材２０は、例えば正多面体（正六角形、正八角形のような形状）のような形状のものでもよい。ただし、回転体であるので、円盤部材２０は、きれいな円形の方が好ましい。加えて、磁石１０を円形（円板状）の構造のもので説明したが、矩形、長方形のものでも構わない。ただし、円盤部材２０の上で回転させるものであるので、角などがない、円形の方が好ましい場合が多い。さらに、円盤部材２０の側面からファン２２が延びた形態を示したが、円盤部材２０と別体でファン２２を構築した形態でもよい（例えば、図８に示したような構成）。また、円盤部材２０の裏面側に電気モータ３５を配置したが、それ以外の場所に電気モータ３５を配置して、電気モータ３５の回転力を、円盤部材２０および／またはファン２２に伝えるような構造にしても構わない。また、上述の各実施形態および改変例の特徴などは相互に適用可能であり、さらに、当業者であれば自明の範囲で思いつく変更（改変）を加えることが可能である。
【産業上の利用可能性】
【００６０】
本考案によれば、磁気が当たる箇所を把握しやすい回転磁気治療器を提供することができる。
【符号の説明】
【００６１】
１０   磁石（ネオジム磁石）
１１   第１磁石
１２   第２磁石
１５   磁石
２０   円盤部材
２２   ファン
３０   上部カバー
３２   保護部材
３３   背面部
３４   連結部
３５   電気モータ
４０   筐体部
４１   スイッチ部
４２   筐体本体部
４３   ＵＳＢ端子（充電用端子）
４５   バッテリ（リチウムイオンバッテリ）
４６   ケーブル（ＵＳＢケーブル）
４８   ストラップ
５０   水平連結部（左右連結部）
５５   上下連結部
１００ 回転磁気治療器（変位電流発生器）
１９０ 皮膚（患部）
２００ 磁気治療器（振動型磁気治療器）
１０００      磁気治療器
１１００      磁気治療器
【図１】
0003229833.tif 000003
【図２】
0003229833.tif 000004
【図３】
0003229833.tif 000005
【図４】
0003229833.tif 000006
【図５】
0003229833.tif 000007
【図６】
0003229833.tif 000008
【図７】
0003229833.tif 000009
【図８】
0003229833.tif 000010
【図９】
0003229833.tif 000011
【図１０】
0003229833.tif 000012
【図１１】
0003229833.tif 000013
【図１２】
0003229833.tif 000014
【図１３】
0003229833.tif 000015
【図１４】
0003229833.tif 000016
【図１５】
0003229833.tif 000017
【図１６】
0003229833.tif 000018
【図１７】
0003229833.tif 000019
【図１８】
0003229833.tif 000020
【図１９】
0003229833.tif 000021
【図２０】
0003229833.tif 000022